(57)【要約】【課題】  通路が設けられた第１配管と接続され、通路と連通する流路が形成された第１接続筒と、通路が設けられた第２配管と接続され、通路と連通する流路が形成された第２接続筒とを備えた水栓において、水栓及び配管の取付形態にかかわらず、水栓に対し配管を接続でき、しかも塞ぎ蓋を新たに装着する必要がない水栓を提供する。【解決手段】  通路が設けられた第１配管と接続され、通路と連通する流路１７，１７ａが形成された第１接続筒１６，１６ａと、通路が設けられた第２配管と接続され、通路と連通する流路２２が形成された第２接続筒２１とを備えた水栓Ａにおいて、前記接続筒１６，１６ａ，２１は流路の両端に蓋部１８，１８，１８ａ，１８ａ，２３，２３が形成され、蓋部１８，１８，１８ａ，１８ａ，２３，２３の何れか一方のみに加工を施すことで配管接続用の開口部１９，１９ａ，２４が形成された。【選択図】  図４
2006328792.tif 000002
【特許請求の範囲】
【請求項１】
通路が設けられた第１配管と接続され、通路と連通する流路が形成された第１接続筒と、通路が設けられた第２配管と接続され、通路と連通する流路が形成された第２接続筒とを備えた水栓において、前記接続筒は流路の両端に蓋部が形成され、蓋部の何れか一方のみに加工を施すことで配管接続用の開口部が形成されたことを特徴とする水栓。
【請求項２】
前記各接続筒は、互いに平行となるように形成されたことを特徴とする請求項１記載の水栓。
【請求項３】
前記各接続筒は、互いの開口部を同一方向に形成したことを特徴とする請求項１または２記載の水栓。
【請求項４】
前記各接続筒は、互いの開口部を異なる方向に形成したことを特徴とする請求項１または２記載の水栓。
【請求項５】
前記接続筒には、加工を施す位置を識別するための目印が刻設されたことを特徴とする請求項１乃至４の何れかに記載の水栓。
【発明の詳細な説明】
【技術分野】
【０００１】
本発明は、水用，湯用の配管が接続される水栓に関するものである。
【背景技術】
【０００２】
水栓は、流し台，洗面化粧台，浴室等の仕様により、壁面取付用であったり、天板取付用であったり、その取付位置が壁面に対し左右の何れかになる場合がある。それに伴い、水栓に接続される給湯用，給水用の配管、及び水栓と吐水具とを連通する配管の設置形態も異なることから、水栓は、流し台，洗面化粧台，浴室等の仕様の数だけ必要となってしまうため、管理するのが大変であり、その改善が望まれていた。そこで、水栓と給湯，給水配管との間に介在させるとともに両物品を接続する接続筒を用いることにより、流し台，洗面化粧台，浴室等の仕様にかかわらず、水栓と給湯，給水等の配管との接続を容易に行えるようにしたものとして公知のものに、特許文献１のものがある。
【０００３】
この特許文献１について簡単に説明すると、水栓取付具は、湯水混合栓の給湯用及び給水用の開口と接続する第１の接続部と、湯水混合栓に湯，水を供給する給湯用，給水用配管と接続する第２の接続部とを備え、第１の接続部もしくは第２の接続部の何れか一方を夫々２組設け、その内の１組にのみ湯水混合栓もしくは給湯用，給水用の配管を接続し、他方には塞ぎ蓋を装着することにより、第１の接続部と第２の接続部との相互相対位置を変更可能としたものである。
【特許文献１】特開平９−３９９９号の図１乃至図４
【発明の開示】
【発明が解決しようとする課題】
【０００４】
特許文献１の水栓では、第１の接続部と第２の接続部の相対位置を変更することにより、湯，水の取り出し方向を変更することが可能となり、流し台，洗面化粧台，浴室等の仕様に応じて、水栓や配管を取り付けることができる。しかしながら、水栓もしくは給湯用，給水用の配管を接続しない箇所にも加工を施す必要がある。また、配管を接続しない接続部に対しては、必ず塞ぎ蓋を装着しなければならず、予め塞ぎ蓋を水栓とは別に用意しておき、仕様に応じて塞ぎ蓋を接続部に装着する作業は面倒なものであった。
【０００５】
また近年では、水栓取付具と水栓、水栓取付具と給湯用，給水用の配管における接続形態は、例えば、両物品に形成されたねじを螺合させるねじ込み方式や、両物品に形成された鍔部を重ね合わせた後、クリップ状の固定金具を用いて取り付けるワンタッチ取付方式など多種多様である。そこで、このような接続形態に対応した接続部を備えた配管接続具を用意しておかなければないため、水栓取付具の種類が増加してしまい、管理するのが大変であった。
【０００６】
本発明は、このような従来の技術に存在する問題点に着目してなされたものであり、その目的は、通路が設けられた第１配管と接続され、通路と連通する流路が形成された第１接続筒と、通路が設けられた第２配管と接続され、通路と連通する流路が形成された第２接続筒とを備えた水栓において、水栓及び配管の取付形態にかかわらず、水栓に対し配管を接続でき、しかも塞ぎ蓋を新たに装着する必要がない水栓を提供することにある。
【課題を解決するための手段】
【０００７】
上記目的を達成するために、請求項１に記載の発明は、通路が設けられた第１配管と接続され、通路と連通する流路が形成された第１接続筒と、通路が設けられた第２配管と接続され、通路と連通する流路が形成された第２接続筒とを備えた水栓において、前記接続筒は流路の両端に蓋部が形成され、蓋部の何れか一方のみに加工を施すことで配管接続用の開口部が形成されたものである。
【０００８】
請求項２では、請求項１の水栓において、前記各接続筒は互いに平行となるように形成したものである。
【０００９】
請求項３では、請求項１または２記載の水栓において、前記各接続筒は互いの開口部を同一方向に形成したものである。
【００１０】
請求項４では、請求項１または２記載の水栓において、前記接続筒は互いの開口部を異なる方向に形成したものである。
【００１１】
請求項５では、請求項１乃至４の何れかに記載の水栓において、前記接続筒には、加工を施す位置を識別するための目印が刻設されたものである。
【発明の効果】
【００１２】
本発明の請求項１では、水栓及び配管の取付形態に合わせて、接続筒の蓋部に配管接続用の加工を施すので、接続筒に対し配管を容易に接続することができ、しかも、従来のように、配管が接続されない箇所に加工を施す必要がなく、また、接続筒に対して塞ぎ蓋を新たに装着する必要がなく、作業性が大幅に向上する。
【００１３】
請求項２では、各接続筒は互いに平行となるように形成したのでコンパクトとなり、狭いスペースであっても水栓を容易に取り付けることができる。
【００１４】
請求項３または４では、配管が取り付けられている位置に合わせて、接続筒は互いの開口部の位置を同一方向としたり、異なる方向とすることで、配管の開口部に対する接続を容易とすることができる。
【００１５】
請求項５では、接続筒には、加工を施す位置を識別するための目印が刻設されているので、加工を施す位置を容易に判断することができ、しかも間違えることなく、確実に作業を行うことができる。
【発明を実施するための最良の形態】
【００１６】
以下、本発明の実施例を図に基づいて詳細に説明する。
【実施例１】
【００１７】
図１は、本発明の水栓Ａが浴室１のカウンター等の取付板２に取り付けられた状態の全体図である。
図２に示すように、水栓Ａは取付板２の下部に配設され、湯用，水用の配管４，５が接続される混合部材１０と、該混合部材１０と供給用配管６を介して接続され、混合部材１０で混合された混合水を所定の方向に供給するための切替部材３０と、混合部材１０及び切替部材３０にそれぞれ装着されるハンドル５０，５０ａと、切替部材３０の下流側且つ浴室内の所定の場所に設置され、切替部材３０から供給される混合水を吐水するための吐水具６０，６０ａと、取付板２に混合部材１０及び切替部材３０をそれぞれ固定させる固定ナット７０，７０ａとを備えている。
【００１８】
図３に示すように、前記混合部材１０は取付板２に装着されるもので、取付板２に穿設された取付孔３より大径のフランジ部１１が外周面に形成され、このフランジ部１１の上方には円筒形状の筒部１２が形成され、筒部１２は取付孔３より小径で、外周面に雄ねじ１３が刻設され、フランジ部１１の下方には湯及び水が流入される本体部１４が形成されている。また、混合部材１０の内部には収容室１５が形成されており、該収容室１５には混合弁８０が収容され、この混合弁８０は給湯源，給水源に連通する湯用，水用の配管４，５の通路から供給された湯，水を混合し、混合された混合水を使用者の希望する温度に調節するものである。
【００１９】
図４に示すように、前記本体部１４の外周面には、１対の第１接続筒１６，１６ａが本体部１４を中心に互いに対向且つ平行となるようにそれぞれ突出して形成されている。第１接続筒１６，１６ａは、取付板２の下部の空間に配置されるもので、その内部に湯または水が通過する流路１７，１７ａが形成され、該流路１７，１７ａの両端には蓋部１８，１８ａが形成されている。本発明では、蓋部の何れか一方のみに加工を施し、他方は加工を施すことなく蓋部が形成された状態のままとしている。このように接続筒に形成された蓋部に加工を施すことで、湯用，水用の配管４，５を接続するための開口部１９，１９ａが形成され、この開口部１９，１９ａは内周面にねじ部ａ、または外周面に鍔部ｂが形成される。そして、一方の第１接続筒１６の開口部１９には水用配管５が接続され、他方の第１接続筒１６ａの開口部１９ａには湯用配管４が接続されている。また、本体部１４の下方には第２接続筒２１が、第１接続筒１６，１６ａと平行となるように突出して形成されている。第２接続筒２１は、その内部に混合水が通過する流路２２が形成され、該流路２２の両端には蓋部２３が形成されている。蓋部２３の一方は加工が施され、開口部２４が形成されている。そして、第２接続筒２１の開口部２４には前記切替部材３０に連通する供給用配管６が接続されている。なお、各接続筒１６，１６ａ，２１の両端外周面には、数字やアルファベット等の目印２０ａ，２０ｂ，２０ｃ，２０ｄ，２５ａ，２５ｂが刻設されている。
【００２０】
前記混合弁８０は従来公知のものであり、内部に収容されたワックスや形状記憶合金等の感温部材が混合水の温度に応じて弁体を移動させ、内部に流入する湯，水の流量を制御し、吐水される混合水の温度を設定温度に調節するものである。なお、混合弁８０は混合部材１０の筒部１２先端に締付ナット２６が螺着され、収容室１５から抜け出すことがないように固定されている。
【００２１】
図３に示すように、前記切替部材３０は混合部材１０と略同一形状で、混合部材１０と同様に混合部材１０の近傍で取付板２に装着され、取付板２に穿設された取付孔３より大径のフランジ部３１が外周面に形成され、このフランジ部３１を挟んで上方には円筒形状の筒部３２が形成され、筒部３２は取付孔３より小径で、外周に雄ねじ３３が刻設され、フランジ部３１の下方には、前記混合部材１０から供給された混合水が流入される本体部３４が形成されている。また、切替部材３０の内部には収容室３５が形成されており、該収容室３５には従来公知の切替弁９０が収容され、該切替弁９０により、上流側である混合部材１０から供給された混合水は、下流側であり、浴室１内の所定場所に設置された吐水具６０，６０ａのうち何れか一方へその流路が切り替えられる。なお、切替部材３０は筒部３２先端に締付ナット４６が螺着され、切替弁９０は収容室３５から抜け出すことがないように固定されている。
【００２２】
図６に示すように、前記本体部３４の外周面には、１対の第１接続筒３６，３６ａが本体部３４を中心に互いに対向且つ平行となるようにそれぞれ突出して形成されている。第１接続筒３６，３６ａは、取付板２の下部の空間に配置されるもので、その内部に混合水が通過する流路３７，３７ａが形成され、該流路３７，３７ａの両端には蓋部３８，３８ａが形成されている。蓋部３８，３８ａは何れか一方のみに加工を施し、他方は加工を施すことなく蓋部が形成された状態のままとしている。このように第１接続筒に形成された蓋部に加工を施すことで、通水配管７，８を接続するための開口部３９，３９ａが形成され、この開口部３９，３９ａは内周面にねじ部ａ、または外周面に鍔部ｂが形成される。そして、一方の第１接続筒３６の開口部３９には第１通水配管７が、他方の第１接続筒３６ａの開口部３９ａには第２通水配管８がそれぞれ接続され、該第１通水配管７，第２通水配管８は浴室１内の所定位置に設置された第１吐水具６０，第２吐水具６０ａとそれぞれ連通している。なお、第１接続筒３６，３６ａの両端外周面には、数字やアルファベット等の目印４０ａ，４０ｂ，４０ｃ，４０ｄが刻設されている
【００２３】
本体部３４の下方には、第２接続筒４１が第１接続筒３６，３６ａと平行となるように突出して形成されている。第２接続筒４１は、混合部材１０と連通する供給用配管６が接続されるもので、その内部に混合水が通過する流路４２が形成され、該流路４２の両端には蓋部４３が形成されている。蓋部４３は何れか一方のみに加工を施し、他方は加工を施すことなく蓋部が形成された状態のままとしている。このように第２接続筒４１に形成された蓋部４３に加工を施すことで、供給用配管６を接続するための開口部４４が形成され、この開口部４４は内周面にねじ部ａ、または外周面に鍔部ｂが形成される。なお、第２接続筒４１の両端外周面には、数字やアルファベット等の目印４５ａ，４５ｂが刻設されている
【００２４】
前記ハンドル５０，５０ａは、混合部材１０に収容された混合弁８０及び切替部材３０に収容された切替弁９０の先端にそれぞれ装着されている。混合弁８０の先端に装着された温度調節ハンドル５０は、回転させることにより吐水される混合水の温度を調節する。また、切替弁９０の先端に装着された切替ハンドル５０ａは、回転させることにより混合水の吐水方向を選択するものである。
【００２５】
前記吐水具６０，６０ａは、浴室１内の所定位置に取り付けられ、洗い場や浴槽に混合水を供給するもので、例えば、図１に示すように吐水管やシャワーヘッドである。
【００２６】
ここで、水栓Ａの配管接続具である混合部材１０及び切替部材３０の製造過程について説明する。なお、図２に示すように、混合部材１０と切替部材３０とは略同一形状であるので、混合部材１０を例に説明する。
工場内での製造過程において、配管接続具である混合部材１０は、図７に示すように収容室１５が形成されているが、接続筒１６，１６ａ，２１には配管４，５，６を接続するための加工が施されていない。この状態において、浴室１の仕様に応じて、接続筒１６，１６ａ，２１の一端に形成された蓋部１８，１８，１８ａ，１８ａ，２３，２３の何れかに加工を施す。このとき、接続筒１６，１６ａ，２１の端部外周面に刻設された目印２０ａ，２０ｂ，２０ｃ，２０ｄ，２５ａ，２５ｂを基にして、加工を施す位置を識別すればよい。そして、この目印２０ａ，２０ｂ，２０ｃ，２０ｄ，２５ａ，２５ｂにしたがって作業をすることによって、間違えることなく、確実に接続筒１６，１６ａ，２１に加工を施すことができる。そして、接続筒１６，１６ａ，２１に加工を施し、開口部１９，１９ａ，２４を形成することにより、図５（ａ），（ｂ），（ｃ）に示すように、接続筒１６，１６ａ，２１の内部に形成された流路１７，１７ａ，２２と収容室１５とが連通するとともに、接続筒１６，１６ａ，２１と配管４，５，６との接続が可能となる。なお、配管４，５，６を接続筒に接続する際においても、接続筒３１の端部外周面に刻設された目印２０ａ，２０ｂ，２０ｃ，２０ｄ，２５ａ，２５ｂを基にして、配管４，５，６の接続する位置を識別することによって、間違えることなく、確実に配管４，５，６を接続筒３１に接続することができる。
【００２７】
ところで、接続筒１６，１６ａ，２１と配管４，５，６との接続形態は、例えば、接続筒１６，１６ａ，２１の端部及び配管４，５，６の端部に形成されたねじ部を螺合させる形態や、接続筒１６，１６ａ，２１の端部及び配管４，５，６の端部に形成された鍔部を互いに重ね合わせ、この鍔部に対してクリップ状の固定金具を装着する形態など多種多様である。本発明では、このような配管４，５，６の接続形態に合わせて、接続筒１６，１６ａ，２１に施す加工の方法を変更し、どのような接続形態であっても容易に対応することができる。
【００２８】
そして、接続筒１６，１６ａ，２１，３６，３６ａ，４１に加工が施された混合部材１０及び切替部材３０を取付板２に装着しておく。
図３に示すように、取付板２に穿設された取付孔３の裏側から混合部材１０の筒部１２を挿通させ、取付板２の表側に筒部１２を突出させる。そして、取付板２の表側から筒部１２の雄ねじ１３に固定ナット７０を螺着していくと、混合部材１０のフランジ部１１と固定ナット７０とにより取付板２を挟持することにより、混合部材１０は取付板２に強固に固定される。
【００２９】
その後、混合部材１０の取付板２への固定と同様に、切替部材３０を取付板２に取り付けた後、固定ナット７０，７０ａを覆うようにカバー７１，７１ａを嵌挿し、混合弁８０及び切替弁９０の先端にそれぞれハンドル５０，５０ａを取り付ける。そして、混合部材１０及び切替部材３０を供給用配管６により結合した後、混合部材１０には湯用，水用の配管４，５を、また切替部材３０には吐水具６０，６０ａへ連通する配管７，８をそれぞれ接続すると、図１に示すように、水栓Ａの取り付けが完了する。
【００３０】
以上のように、本発明の水栓では、配管と接続される接続筒は流路の両端に蓋部が形成され、蓋部の何れか一方のみに加工を施すことで配管接続用の開口部を形成する構成としたので、従来のように接続筒に対して必要でない加工を施したり、塞ぎ蓋を新たに取り付ける必要がない。また、配管の接続形態に応じて接続筒の加工方法を変更することができるため、どのような接続形態であっても対応することができる。さらに、接続筒には、加工を施す位置を識別するための目印が刻設されているので、加工を施す位置を容易に判断することができ、しかも間違えることなく、確実に作業を行うことができる。
【図面の簡単な説明】
【００３１】
【図１】本発明の水栓を浴室内に取り付けた状態を示す説明図である。
【図２】図１において、水栓と配管との接続状態を示す説明図である。
【図３】水栓の内部構造を示す線断面図である。
【図４】水栓の斜視図である。
【図５】図３における水栓の断面図であり、（ａ）はＸ−Ｘ線断面図、（ｂ）はＹ−Ｙ線断面図、（ｃ）はＺ−Ｚ線断面図である。
【図６】水栓の切替部材の斜視図である。
【図７】接続筒に加工を施す前の状態を示す本体部の斜視図である。
【符号の説明】
【００３２】
４                              ：湯用配管
５                              ：水用配管
６                              ：供給用配管
７                              ：第１通水配管
８                              ：第２通水配管
１６，１６ａ                    ：第１接続筒
１７，１７ａ                    ：流路
１８，１８ａ                    ：蓋部
１９，１９ａ                    ：開口部
２０ａ，２０ｂ，２０ｃ，２０ｄ  ：目印
２１                            ：第２接続筒
２２                            ：流路
２３                            ：蓋部
２４                            ：開口部
２５ａ，２５ｂ                  ：目印
Ａ                              ：水栓
【図１】
2006328792.tif 000003
【図２】
2006328792.tif 000004
【図３】
2006328792.tif 000005
【図４】
2006328792.tif 000006
【図５】
2006328792.tif 000007
【図６】
2006328792.tif 000008
【図７】
2006328792.tif 000009